(57)【要約】【課題】スピーカ装置の視覚的な演出効果を高めて、遊技の興趣を高めることが可能な遊技機を提供する。【解決手段】本発明に係る遊技機は、所定の音を発生するスピーカ６ａ，６ｂと、光を発光するＬＥＤ９２ａを有するＬＥＤ基板９０ａ，９０ｄ，９０ｅを覆うＬＥＤ基板カバー７０およびスピーカを覆うスピーカカバー６０ａ，６０ｂを含む装飾ユニット１００と、スピーカカバー６０ａ，６０ｂに設けられ、ＬＥＤ９２ａを裏面側にて覆うとともに、光の一部を反射して一部を透過するハーフミラー６５ａａ，６５ａｂ，６５ｂａ，６５ｂｂとを備え、ＬＥＤ９２ａは、ハーフミラー６５ａａ，６５ａｂ，６５ｂａ，６５ｂｂの裏面に向けて光を発光し、ハーフミラー６５ａａ，６５ａｂ，６５ｂａ，６５ｂｂは、ＬＥＤ９２ａからの光を当該ハーフミラー６５ａａ，６５ａｂ，６５ｂａ，６５ｂｂの表面側に導くことを特徴とする。【選択図】図５
2008006026.tif 000002
【特許請求の範囲】
【請求項１】
所定の音を発生するスピーカと、
光を発光する発光体を有する発光基板、前記発光基板を覆う発光基板カバーおよび前記スピーカを覆うスピーカカバーを含む装飾ユニットと、
前記スピーカカバーに設けられ、前記発光体を裏面側にて覆うとともに、光の一部を反射して一部を透過するハーフミラーとを備え、
前記発光体は、前記ハーフミラーの裏面に向けて光を発光し、
前記ハーフミラーは、前記発光体からの光を当該ハーフミラーの表面側に導く、
ことを特徴とする遊技機。
【請求項２】
前記発光基板カバーは、前記発光体と前記ハーフミラーとの間に配置されるとともに、所定の形状の貫通孔が形成され、
前記発光体は、前記貫通孔を介して、前記ハーフミラーに向けて光を発光する、
ことを特徴とする請求項１記載の遊技機。
【請求項３】
前記スピーカカバーは、透光性を有する部材で構成され、
前記ハーフミラーは、前記スピーカカバーの裏面に取付けられる、
ことを特徴とする請求項１または２に記載の遊技機。
【請求項４】
前記スピーカカバーは、前記装飾ユニットに着脱可能に取り付けられていることを特徴とする請求項１〜３の何れか一項に記載の遊技機。
【発明の詳細な説明】
【技術分野】
【０００１】
本発明は、遊技機に関し、特に遊技状態に応じて音を発するスピーカを備えた遊技機に関するものである。
【背景技術】
【０００２】
従来より、パチンコ遊技機をはじめとする遊技機に内蔵されているスピーカは、音声によって遊技状態を演出し、報知する重要な装置であり、フロントドア（ガラス扉）におけるフロントドアレンズ（スピーカカバー）の背面側に配置されている（例えば、特許文献１参照）。
【０００３】
そして、特許文献１の遊技機においては、スピーカの音質を向上させるために、上記スピーカの発する音を通すための開口部を、フロントドアに設けている。
【特許文献１】特開２００４−１８７９１１号公報
【発明の開示】
【発明が解決しようとする課題】
【０００４】
しかしながら、特許文献１におけるスピーカは、音を発するのみであり、また、スピーカカバーは、上記スピーカを保護するのみであったため、当該スピーカおよびスピーカカバー（以下、スピーカカバーを含む部材とスピーカとを含めた装置を「スピーカ装置」と言う）に対しては、視覚を利用した演出効果の向上を期待することができなかった。
【０００５】
すなわち、特許文献１の遊技機では、スピーカ装置の視覚的な演出効果が低く、遊技の興趣の向上が不十分であった。
【０００６】
そこで、本発明は、スピーカ装置の視覚的な演出効果を高めて、遊技の興趣を高めることが可能な遊技機を提供することを目的とする。
【課題を解決するための手段】
【０００７】
上記課題を解決するため、請求項１に記載の本発明の遊技機は、所定の音を発生するスピーカ（スピーカ６ａ，６ｂ）と、光を発光する発光体（ＬＥＤ９２ａ）を有する発光基板（ＬＥＤ基板９０ａ，９０ｄ，９０ｅ）、発光基板を覆う発光基板カバー（ＬＥＤ基板カバー７０）およびスピーカを覆うスピーカカバー（スピーカカバー６０ａ，６０ｂ）を含む装飾ユニット（装飾ユニット１００）と、スピーカカバーに設けられ、発光体を裏面側にて覆うとともに、光の一部を反射して一部を透過するハーフミラー（ハーフミラー６５ａａ，６５ａｂ，６５ｂａ，６５ｂｂ）とを備え、発光体は、ハーフミラーの裏面に向けて光を発光し、ハーフミラーは、発光体からの光を当該ハーフミラーの表面側に導くことを特徴とする。
【０００８】
本構成によれば、所定の音を発するスピーカの前面には、光を発光する発光体を有する発光基板や、スピーカを覆うスピーカカバー等を含む装飾ユニットが取り付けられ、そして、上記発光体の発する光は、スピーカカバーに設けられたハーフミラーの表面側へと導かれるようになっている。
【０００９】
これによれば、スピーカカバーに設けられたハーフミラーに対して、光の演出を施すことができるので、スピーカ装置の視覚的な演出効果を高めることができる。
【００１０】
すなわち、本発明によれば、スピーカ装置において、聴覚および視覚を利用した演出を行うことができるので、当該スピーカ装置の演出効果を高めて、遊技の興趣を高めることが可能となる。
【００１１】
また、本発明によれば、音が発生するだけの装置として捉えられていたスピーカ装置にて、視覚的な演出を行うことができるので、意外性を高めて、目新しさを演出することが可能となり、総合的な演出効果を高めることができる。
【００１２】
さらに、本発明のハーフミラーは、光の一部を反射するようになっているため、発光体が発光しないときにおいては、その表面側からの光を反射して、鏡として機能するようになる。この場合、発光体が発光しないときにおいて、当該スピーカ装置を鏡として利用することができるので、当該スピーカ装置に遊技者の注目を集めることができるとともに、スピーカ装置の利便性を高めることができる。
【００１３】
請求項２に記載の本発明は、請求項１に記載の発明の構成に加えて、発光基板カバーは、発光体とハーフミラーとの間に配置されるとともに、所定の形状の貫通孔（貫通孔７６）が形成され、発光体は、貫通孔を介して、ハーフミラーに向けて光を発光することを特徴とする。
【００１４】
本構成によれぱ、発光体は、発光基板カバーに形成された貫通孔を介して、ハーフミラーに向けて光を発光するようになっているので、当該ハーフミラーには、当該貫通孔の形状に沿った光の演出が施されるようになる。
【００１５】
これによれば、貫通孔の形状を変えることによって、多様な演出を行うことが可能となるため、スピーカ装置の視覚的な演出効果をより高めることができる。
【００１６】
さらに、本発明によれば、発光体の発する光のうちハーフミラーに到達する光は、上記貫通孔を通過する光に限られるので、当該発光体の発する光が拡散して光の演出がぼやけてしまうことを防ぐことができ、スピーカ装置の演出効果をより高めることができる。
【００１７】
請求項３に記載の本発明は、請求項１または２に記載の発明の構成に加えて、スピーカカバーは、透光性を有する部材で構成され、ハーフミラーは、スピーカカバーの裏面に取付けられることを特徴とする。
【００１８】
このように、ハーフミラーは、透光性を有するスピーカカバーの裏面に取付けられるようになっているので、発光体の発する光が、当該ハーフミラーを介して、スピーカカバーを装飾するようになる。
【００１９】
すなわち、本発明によれば、スピーカカバーに対しても光の演出を施すことができるので、スピーカ装置の視覚的な演出効果をより高めることができる。
【００２０】
請求項４に記載の本発明は、請求項１〜３の何れか一項に記載の発明の構成に加えて、
スピーカカバーは、装飾ユニットに着脱可能に取り付けられていることを特徴とする。
【００２１】
このように、スピーカカバーを、装飾ユニットから個別に取り外すことができるので、当該スピーカカバーや装飾ユニットの清掃や交換が容易となる。
【００２２】
これにより、たとえスピーカカバー等に汚れが付着したり、傷が付いたり等して視覚的な演出効果が低下したとしても、当該汚れもしくは傷が生じた部材の清掃や交換等が容易となるので、視覚的な演出効果の回復を容易に図ることができる。
【発明の効果】
【００２３】
本発明によれば以下の効果を奏することができる。
【００２４】
すなわち、本発明によれば、スピーカ装置の視覚的な演出効果を高めて、遊技の興趣を高めることが可能となる。
【発明を実施するための最良の形態】
【００２５】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２６】
図１は本発明の一実施の形態である遊技機を示す斜視図、図２は図１に示す遊技機の正面図、図３は図１に示す遊技機の分解斜視図、図４は本実施の形態の装飾ユニットを示す斜視図、図５は図４に示す装飾ユニットの分解斜視図、図６は図５に示す装飾ユニットの裏面側を示す分解斜視図、図７は本実施の形態のＬＥＤカバーの裏面側を示す斜視図、図８は本実施の形態のユニットベースの裏面側を示す斜視図、図９は裏面側にハーフミラーが蒸着されたスピーカカバーを示す正面図、図１０は図９のスピーカカバーの裏面側を示す背面図、図１１はスピーカ装置の左側を示す説明図、図１２は図１１に示すスピーカ装置からスピーカカバーを取り外した状態を示す説明図、図１３は図１２に示すスピーカ装置からＬＥＤ基板カバーを取り外した状態を示す説明図、図１４は図１１示すスピーカ装置にてＬＥＤが発光した状態を示す説明図、図１５は図１に係るスピーカ装置のＡ−Ａ線断面を示す説明図である。
【００２７】
図１〜図３に示すように、パチンコ遊技機（遊技機）１は、遊技盤（図示せず）が装着される本体枠３ａがヒンジ３ｃを介して島設備に固定されるベース枠３ｂに回動可能に取り付けられ（すなわち、本体枠３ａは、本体枠３ａの一方端を回動支点として支持されて当該ベース枠３ｂに開閉可能に取り付けられる。）、これら本体枠３ａおよびベース枠３ｂで遊技機本体３が構成されている。そして、このような遊技機本体３の本体枠３ａに対して、スピーカ６ａ，６ｂ、液晶表示装置（ＬＣＤ）４０、遊技盤を視認可能に被うガラス扉９、上皿部４、下皿部５、ハンドル７および装飾ユニット１００が取り付けられるようになっている。
【００２８】
ガラス扉９および上皿部４は一体化して形成されており、この一体化された開閉扉（開閉体）は、その一端が本体枠３ａに回動可能に軸支され、他端が本体枠３ａに係合するようになっている。
【００２９】
上皿部４はガラス扉９の下側に位置し、払い出された遊技球および遊技領域に打ち込まれる遊技球が貯留される上皿４ａを有している。上皿部４の所定の位置に、遊技終了時などにおいて上皿４ａに貯留された遊技球を後述する下皿５ａに移動させて取り出す場合に操作されるシャッタレバー８が設けられている。
【００３０】
上皿部４の下側に位置する下皿部５は、本体枠３ａに固定されており、払い出しにより上皿４ａからオーバーフローした遊技球が貯留される下皿５ａを有している。
【００３１】
下皿部５の右側に設けられたハンドル７は、レール（図示せず）を介して遊技盤の遊技領域へ遊技球を打ち込む際に回動操作されるものであり、遊技球の発射を停止させるストップボタン（図示せず）が設けられている。
【００３２】
液晶表示装置（ＬＣＤ）４０は、遊技機本体３内で、且つ遊技盤の背後に設けられ、遊技盤を通して視認可能になっており、演出画像（例えば、遊技状態に対応したアニメーションやその他の報知情報など。）等を表示可能な表示領域を備えている。
【００３３】
なお、上記液晶表示装置４０にかえて、例えばプラズマディスプレイ等の表示手段を用いてもよい。
【００３４】
スピーカ６ａ，６ｂは、本体枠３ａ上部の左右に固定されており、その前面が後述する装飾ユニット１００に覆われるようになっている。
【００３５】
このスピーカ６ａ，６ｂは、所定の音（例えば、遊技状態に対応した音楽やその他の報知情報など）を前方に向けて出力する機能を有している。
【００３６】
次に、図４〜１５を用いて装飾ユニット１００について説明する。
【００３７】
図４は、本実施の形態の装飾ユニットを示す斜視図であり、図５は図４に示す装飾ユニットの分解斜視図である。
【００３８】
装飾ユニット１００は、図４および図５に示すように、ＬＥＤ基板（発光体基板）９０ａ，９０ｂ，９０ｃ，９０ｄ，９０ｅが取り付けられた略長方形状のユニットベース８０に、同じように略長方形状のＬＥＤ基板カバー（発光基板カバー）７０と、上記スピーカ６ａ，６ｂの正面側を覆うスピーカカバー６０ａ，６０ｂとが重なるようにして取り付けられて構成されている。
【００３９】
ここで、スピーカカバー６０ａの裏面には、ハーフミラー６５ａａ，６５ａｂが蒸着される一方、スピーカカバー６０ｂの裏面には、ハーフミラー６５ｂａ，６５ｂｂが蒸着されるようになっている。
【００４０】
また、本実施の形態においては、スピーカカバー６０ａ，６０ｂを含む部材（装飾ユニット１００）と、スピーカ６ａ，６ｂとを含めた装置を「スピーカ装置１１０」という（図１、図２、図１１、図１５参照）。
【００４１】
また、ＬＥＤ基板カバー（発光基板カバー）７０およびユニットベース８０の左右両側には、円形状の通過孔７１，８１が形成されている。
【００４２】
装飾ユニット１００が本体枠３ａに取り付けられた場合、上記通過孔７１，８１は、上記スピーカ６ａ，６ｂの正面に位置するようになっており、当該スピーカ６ａ，６ｂから発せられた音を通過させるようになっている（図１２、図１３および図１５参照。なお、図１５においては、ユニットベース８０の記載を省略している）。
【００４３】
ＬＥＤ基板カバー７０前面側の略中央部分には、装飾部材７２を嵌め込むための嵌込孔７２ａが形成されている。ここで、装飾部材７２は、遊技機１を装飾するための部材である。装飾するための部材としては、例えば、企業マーク、その他の模様が施された部材が考えられ、上記嵌込孔７２ａに嵌め込まれることにより遊技機１の装飾効果が高まるようになっている。
【００４４】
ＬＥＤ基板カバー７０裏面側の四隅および中央上部には、装飾ユニット１００を本体枠３ａに取り付るための取付部７５が設けられている（図６および図７参照）。
【００４５】
当該取付部７５の頂部には孔が形成されており、当該取付部７５の孔には、本体枠３ａの表面側上部に設けられた突起（例えば、突起３ｄ（図１３））を挿入させることができ、これにより、ＬＥＤ基板カバー７０を有する装飾ユニット１００を、図１１および図１２に示すように、本体枠３ａの表面側上部に着脱可能に取付けることができるようになっている。但し、これに限定されず、装飾ユニット１００は、例えば、ピンやネジ等により固定されるようになっていてもよいし、接着により取り付けられるようになっていてもよい。
【００４６】
また、ＬＥＤ基板カバー７０には、スピーカカバー６０ａ，６０ｂを係止させる係止部７３ａ，７３ｂが形成されている（図７参照）。ここで、係止部７３ａ，７３ｂは、後述する係止爪６２ａ，６２ｂ（図１０）をＬＥＤ基板カバー７０の表面側から挿入させるための孔と、裏面方向に向って突出し、上記孔から挿入された係止爪６２ａ，６２ｂと係止する突出部とから構成されている。
【００４７】
さらに、ＬＥＤ基板カバー７０には、後述するネジ止部６３（図６，図１０）を表面側から挿入させるための挿入孔７４が形成されている（図７参照）。
【００４８】
また、ＬＥＤ基板カバー７０は、ＬＥＤ９２ａとハーフミラー６５ａａ，６５ａｂ，６５ｂａ，６５ｂｂとの間に配置されている（図１５参照）。そして、ＬＥＤ基板カバー７０は、ＬＥＤ基板９０ａ，９０ｂ，９０ｃ，９０ｄ，９０ｅを覆うカバーであり、円形状をした貫通孔７６（図５〜図７、図１２）が複数形成されている。
【００４９】
ＬＥＤ基板カバー７０が装飾ユニット１００に取り付けられた場合、上記貫通孔７６は、それぞれ上記ＬＥＤ９２ａの正面に位置するようになっており（図１２参照。すなわち、ＬＥＤ９２ａは、貫通孔７６から露出する）、当該ＬＥＤ９２ａの発光する光４００を前方のハーフミラー６５ａａ，６５ａｂ，６５ｂａ，６５ｂｂに導くようになっている（図１５参照）。
【００５０】
次に、図５、図６、図８および図１３を用いてユニットベース８０について説明する。
【００５１】
ユニットベース８０の裏面側には、所定の光を発光するＬＥＤ（発光体）９２，９２ａを有するＬＥＤ基板（発光体基板）９０ａ，９０ｄ，９０ｅや、ＬＥＤ９２のみを有するＬＥＤ基板９０ｂ，９０ｃ等が取り付けられるようになっている（図５、図６および図１３参照）。
【００５２】
なお、本実施の形態において、ＬＥＤ基板９０ａ，９０ｄ，９０ｅ等に備えられるＬＥＤ９２ａの数は特に限定しない。例えば、何れかのＬＥＤ基板に一のＬＥＤ９２ａのみが備え付けられていてもよい。また、ＬＥＤ９２ａは、ＬＥＤ基板９０ｂや９０ｃ等に備え付けられていてもよい。
【００５３】
ユニットベース８０の両側に形成された通過孔８１の間、および当該通過孔８１の上方には、上記ＬＥＤ９２やＬＥＤ９２ａの発光を前方へ導くための通光孔８４ａ，８４ｂ，８４ｃ（図８参照）が形成され、ＬＥＤ基板９０ａ，９０ｂ，９０ｃは、この通光孔８４ａ，８４ｂ，８４ｃにＬＥＤ９２やＬＥＤ９２ａの搭載面側を向けてユニットベース８０の裏面側に取り付けられるようになっている。
【００５４】
さらに、２つの通過孔８１における相互に離反する端部側には、上記ＬＥＤ９２ａの発光を前方へ導くための通光孔８４ｄ，８４ｅ（図８参照）がそれぞれ形成され、ＬＥＤ基板９０ｄ，９０ｅは、この通光孔８４ｄ，８４ｅにＬＥＤ９２ａの搭載面側を向けてユニットベース８０の裏面側に取り付けられるようになっている（図５および図６参照）。
【００５５】
ユニットベース８０の裏面側において、通光孔８４ｂ，８４ｃの左右両隣には係止爪８２ｂ，８２ｃがそれぞれ設けられており（図８参照）、ＬＥＤ基板９０ｂ，９０ｃは、それぞれの係止爪８２ｂ，８２ｃによって、図６に示すようにユニットベース８０の裏面側に取り付けられるようになっている。
【００５６】
また、ユニットベース８０の通光孔８４ａには、当該通光孔８４ａを３つに仕切る仕切り板８６が縦方向に延びている。当該仕切り板８６の略中央部分には、ＬＥＤ基板９０ａをネジ止めするネジ止孔８３が形成されている（図８参照）。
【００５７】
そのため、ＬＥＤ基板９０ａに形成されたネジ孔９１を介して上記ネジ止孔８３にネジを螺合することにより、ＬＥＤ基板９０ａをユニットベース８０の裏面側にネジ止めすることができる（図６参照）。
【００５８】
ユニットベース８０の四隅には、上記取付部７５を挿入させて本体枠３ａへ導く孔８７が形成されている（図５、図６、図８および図１３参照）。
【００５９】
また、ＬＥＤ基板９０の中央上部には上記取付部７５を挿入させて本体枠３ａへ導く切り欠き９３が形成されている（図６参照）。
【００６０】
上記孔８７および切り欠き９３に取付部７５を挿入することにより、当該取付部７５を本体枠３ａの表面側上部に取り付けることができる。
【００６１】
さらに、ユニットベース８０の両端および通行孔８４ａ（ユニットベース８０の中央における通行孔８４ａを除く）の下方には、スピーカカバー６０ｂの裏面側に設けられた取付部６３（図６、図１０）が挿入される孔である挿入孔８５（図５、図８、図１３）が形成されている。
【００６２】
次に図９および図１０を用いてスピーカカバー６０ａ，６０ｂについて説明する。スピーカカバー６０ａ，６０ｂは翼状のデザインがあしらわれた左右一対のカバーであるが、いずれも構成は近似しているため、ここでは片側のスピーカカバー６０ｂについて説明する。
【００６３】
図９は本実施の形態のスピーカカバーを示す正面図である。
【００６４】
スピーカカバー６０ｂには、スピーカ６ｂより発せられる音を通過させるスリット状の通過孔６１が多数形成されている。
【００６５】
また、スピーカカバー６０ｂの裏面右側には、通過孔６１や係止爪６２ｂに干渉しない形状に形成されたハーフミラー６５ｂａが蒸着されるようになっており、一方、スピーカカバー６０ｂの裏面左側には、通過孔６１や係止爪６２ａに干渉しない形状に形成されたハーフミラー６５ｂｂが蒸着されるようになっている。
【００６６】
さらに、これらハーフミラー６５ｂａ，６５ｂｂには、それぞれ、取付部６３を通すための孔６６が形成されている。
【００６７】
因みに、スピーカカバー６０ａの裏面右側には、通過孔６１や係止爪６２ｂに干渉しない形状に形成されたハーフミラー６５ａａが蒸着されるようになっており、一方、スピーカカバー６０ａの裏面左側には、通過孔６１や係止爪６２ａに干渉しない形状に形成されたハーフミラー６５ａｂが蒸着され、そして、これらハーフミラー６５ａａ，６５ａｂには、それぞれ、取付部６３を通すための孔６６が形成されている（図６参照）。
【００６８】
さらに、スピーカカバー６０ｂの裏面側には、図１０に示すように、ＬＥＤ基板カバー７０の係止部７３ａ，７３ｂ（図７）にそれぞれ係止される係止爪６２ａ，６２ｂを備えている。
【００６９】
そしてさらに、スピーカカバー６０ｂの裏面側には、頂部に孔が形成された取付部６３が設けられており、当該取付部６３は、ＬＥＤ基板カバー７０の挿入孔７４（図７）およびユニットベース８０の挿入孔８５（図８）に挿入されるようになっている。そして、取付部６３の頂部に形成された孔には、本体部３ａの表面側上部に設けられた突起３ｅ（図１３）を挿入させることができ、これにより、スピーカカバー６０ｂを、ＬＥＤ基板カバー７０およびユニットベース８０を介して、本体枠３ａに取り付けることができる。
【００７０】
スピーカカバー６０ｂは、これら係止爪６２ａ，６２ｂおよび取付部６３により、装飾ユニット１００に着脱可能に取り付けられるようになっている（図１１参照）。
【００７１】
ここで、ハーフミラー６５ｂａ，６５ｂｂが蒸着されたスピーカカバー６０ｂが、装飾ユニット１００に取付けられると、貫通孔７６から露出するＬＥＤ９２ａが、当該ハーフミラー６５ｂａ，６５ｂｂの裏面側に覆われるようになる（図１１および図１５参照）。
【００７２】
このように装飾ユニット１００は構成され、そして、これにより、ＬＥＤ９２ａの正面位置には、図１５に示すように、スピーカカバー６０ａ，６０ｂ、ハーフミラー６５ａａ，６５ａｂ，６５ｂａ，６５ｂｂおよびＬＥＤ基板カバー７０の貫通孔７６とが重なるようにして配置されるようになる。
【００７３】
ここで、本実施の形態において、スピーカカバー６０ａ，６０ｂは、ポリカーボネートやアクリル樹脂（ＰＭＭＡ）などの透光性を有する部材で構成されている。
【００７４】
そのため、ＬＥＤ９２ａから発光されてＬＥＤ基板カバー７０に形成された貫通孔７６を通過した光４００は、ハーフミラー６５ａａ，６５ａｂ，６５ｂａ，６５ｂｂの表面側に導かれた後に、スピーカカバー６０ａ，６０ｂを透過するようになっている（図１５参照）。
【００７５】
なお、図１５において矢印２００はＬＥＤ９２ａから発光される光４００の流れを示しており、矢印３００は、スピーカ６ａ，６ｂから発せられる音の流れを示している。
【００７６】
この場合、ハーフミラー６５ａａ，６５ａｂ，６５ｂａ，６５ｂｂやスピーカカバー６０ａ，６０ｂのうち、貫通孔７６に対向する部分に、光４００による装飾が施されるようになる（図１４参照。同図においては、貫通孔７６の形状をした光４００による装飾がハーフミラー６５ｂａ，６５ｂｂやスピーカカバー６０ｂに施されている）。
【００７７】
すなわち、本実施の形態によれば、ＬＥＤ９２ａは、ＬＥＤ基板カバー７０に形成された貫通孔７６を介して、ハーフミラー６５ａａ，６５ａｂ，６５ｂａ，６５ｂｂやスピーカカバー６０ａ，６０ｂに向けて光４００を発光するようになっているので、当該ハーフミラー６５ａａ，６５ａｂ，６５ｂａ，６５ｂｂやスピーカカバー６０ａ，６０ｂには、当該貫通孔７６の形状に沿った光の演出が施されるようになる。
【００７８】
これによれば、貫通孔７６の形状を変えることによって、多様な演出を行うことが可能となる。
【００７９】
ここで、ハーフミラー６５ａａ，６５ａｂ，６５ｂａ，６５ｂｂは光の一部を反射して一部を透過する部材であり、裏面にＬＥＤ９２ａ等から光４００を照射された場合には、当該光４００を表面側に導き、一方、ＬＥＤ９２ａが発光しないときにおいては、その表面側からの光を反射して、鏡として機能するようになる。この場合、ＬＥＤ９２ａが発光しないときにおいて、当該スピーカ装置１１０を鏡として利用することができる。
【００８０】
これによれば、音を発するスピーカ６ａ，６ｂの前面の領域に対しても装飾を施すことができるので、限られたスペースを有効に利用して装飾効果を高めることができる。
【００８１】
以上、本発明の実施の形態を説明したが、これは本発明を具体的に例示したに過ぎず、特に本発明を限定するものではない。
【００８２】
また、本実施の形態において、発光体としてＬＥＤ（発光ダイオード）を用いていたが、これに限られず、発光することが可能な部材であればよい。
【００８３】
また、本実施の形態のＬＥＤ基板カバー７０は、ポリカーボネートやアクリル樹脂（ＰＭＭＡ）などの透光性を有する部材で構成されていてもよい。
【００８４】
この場合、ＬＥＤ９２から発光された光は、スピーカカバー６０ａ，６０ｂおよびＬＥＤ基板カバー７０の表面側に導かれ、結果としてスピーカカバー６０ａ，６０ｂおよびＬＥＤ基板カバー７０が照らし出されるようになる。
【００８５】
さらに、本実施の形態のＬＥＤ９２ａは、図１２に示すように、貫通孔７６から露出するようになっている（この場合、ＬＥＤ９２ａが発光したときには、ハーフミラー６５ａａ，６５ａｂ，６５ｂａ，６５ｂｂが蒸着されたスピーカカバー６０ａ，６０ｂの表面側から、当該ＬＥＤ９２ａ本体を視認することができる）。但し、本発明はこれに限られず、ＬＥＤ９２ａを、貫通孔７６から露出しない位置に配置してもよい。この場合、たとえ、ＬＥＤ９２ａを発光させたとしても、スピーカカバー６０ａ，６０ｂの表面側からは、当該ＬＥＤ９２ａ本体を視認することができない。
【００８６】
また、本実施の形態のハーフミラー６５ａａ，６５ａｂ，６５ｂａ，６５ｂｂは、スピーカカバー６０ａ，６０ｂの裏面に蒸着されて取付けられるようになっているが、これに限られず、他の手法で取付けられるようになっていてもよい。例えば接着によって取付けられるようになっていてもよいし、ネジ等によりネジ止めされて取付けられるようになっていてもよい。さらに、ハーフミラー６５ａａ，６５ａｂ，６５ｂａ，６５ｂｂは、スピーカカバー６０ａ，６０ｂの表面に取付けられるようになっていてもよい。
【００８７】
さらに、本実施の形態のハーフミラー６５ａａ，６５ａｂ，６５ｂａ，６５ｂｂは、スピーカカバー６０ａ，６０ｂと重なるようにして当該スピーカカバー６０ａ，６０ｂに取付けられるようになっていたが、これに限られず、当該スピーカカバー６０ａ，６０ｂと重ならないようにして取付けられるようになっていてもよい。
【００８８】
また、本発明のスピーカカバー６０ａ，６０ｂは、ＬＥＤ９２ａから発光されてハーフミラー６５ａａ，６５ａｂ，６５ｂａ，６５ｂｂの表面側に導かれた光４００を表面側に透過させるために、透光性を有する部材で構成されていたが、これに限られず、当該スピーカカバー６０ａ，６０ｂに、上記光４００を通過させるための孔を形成させてもよい。
【００８９】
また、本実施の形態のスピーカカバー６０ａ，６０ｂには、それぞれ、２つのハーフミラーが取付けられる（スピーカカバー６０ａにはハーフミラー６５ａａ，６５ａｂが、一方、スピーカカバー６０ｂにはハーフミラー６５ｂａ，６５ｂｂがそれぞれ取付けられる）ようになっているが、各スピーカカバーに取付けられるハーフミラーの数は特に限定しない。
【００９０】
このように、本実施の形態によれば、所定の音を発するスピーカ６ａ，６ｂの前面には、光を発光するＬＥＤ（発光体）９２ａを有するＬＥＤ基板（発光基板）９０ａ，９０ｄ，９０ｅや、スピーカを覆うスピーカカバー６０ａ，６０ｂ等を含む装飾ユニット１００が取り付けられ、そして、上記ＬＥＤ９２ａの発する光は、スピーカカバー６０ａ，６０ｂに設けられたハーフミラー６５ａａ，６５ａｂ，６５ｂａ，６５ｂｂの表面側へと導かれるようになっている。
【００９１】
これによれば、スピーカカバー６０ａ，６０ｂに設けられたハーフミラー６５ａａ，６５ａｂ，６５ｂａ，６５ｂｂに対して、光の演出を施すことができるので、スピーカ装置１１０の視覚的な演出効果を高めることができる。
【００９２】
すなわち、本発明によれば、スピーカ装置１１０において、聴覚および視覚を利用した演出を行うことができるので、当該スピーカ装置１１０の演出効果を高めて、遊技の興趣を高めることが可能となる。
【００９３】
また、本発明によれば、音が発生するだけの装置として捉えられていたスピーカ装置１１０にて、視覚的な演出を行うことができるので、意外性を高めて、目新しさを演出することが可能となり、総合的な演出効果を高めることができる。
【００９４】
さらに、本発明のハーフミラー６５ａａ，６５ａｂ，６５ｂａ，６５ｂｂは、光の一部を反射するようになっているため、ＬＥＤ９２ａが発光しないときにおいては、その表面側からの光を反射して、鏡として機能するようになる。この場合、ＬＥＤ９２ａが発光しないときにおいて、当該スピーカ装置１１０を鏡として利用することができるので、当該スピーカ装置１１０に遊技者の注目を集めることができるとともに、スピーカ装置１１０の利便性を高めることができる。
【００９５】
さらに、本実施の形態によれば、ＬＥＤ９２ａは、ＬＥＤ基板カバー（発光基板カバー）７０に形成された貫通孔７６を介して、ハーフミラー６５ａａ，６５ａｂ，６５ｂａ，６５ｂｂに向けて光を発光するようになっているので、当該ハーフミラー６５ａａ，６５ａｂ，６５ｂａ，６５ｂｂには、当該貫通孔７６の形状に沿った光の演出が施されるようになる。
【００９６】
これによれば、貫通孔７６の形状を変えることによって、多様な演出を行うことが可能となるため、スピーカ装置１１０の視覚的な演出効果をより高めることができる。
【００９７】
さらに、本発明によれば、ＬＥＤ９２ａの発する光のうちハーフミラー６５ａａ，６５ａｂ，６５ｂａ，６５ｂｂに到達する光は、上記貫通孔７６を通過する光４００に限られるので、当該ＬＥＤ９２ａの発する光が拡散して光の演出がぼやけてしまうことを防ぐことができ、スピーカ装置１１０の演出効果をより高めることができる。
【００９８】
また、本実施の形態によれば、ハーフミラー６５ａａ，６５ａｂ，６５ｂａ，６５ｂｂは、透光性を有するスピーカカバー６０ａ，６０ｂの裏面に取り付けられるようになっているので、ＬＥＤ９２ａの発する光が、当該ハーフミラー６５ａａ，６５ａｂ，６５ｂａ，６５ｂｂを介して、スピーカカバー６０ａ，６０ｂを装飾するようになる。
【００９９】
すなわち、本発明によれば、スピーカカバー６０ａ，６０ｂに対しても光の演出を施すことができるので、スピーカ装置１１０の視覚的な演出効果をより高めることができる。
【０１００】
さらに、本実施の形態によれば、スピーカカバー６０ａ，６０ｂと装飾ユニット１００とを個別に取り外すことができるので、当該スピーカカバー６０ａ，６０ｂや装飾ユニット１００の清掃や交換が容易となる。
【０１０１】
これにより、たとえスピーカカバー６０ａ，６０ｂ等に汚れが付着したり、傷が付いたり等して視覚的な演出効果が低下したとしても、当該汚れもしくは傷が生じた部材の清掃や交換等が容易となるので、視覚的な演出効果の回復を容易に図ることができる。
【産業上の利用可能性】
【０１０２】
以上の説明においては、本発明をパチンコ遊技機本体が遊技台に取り付けられた遊技機に適用した場合が説明されているが、本発明はこれに限定されるものではなく、スロットマシン（パチスロ機）、雀球、スマートボールあるいはゲームセンターに設置された各種ゲーム機など、種々の遊技機に適用することが可能である。
【図面の簡単な説明】
【０１０３】
【図１】本発明の一実施の形態である遊技機を示す斜視図である。
【図２】図１に示す遊技機の正面図である。
【図３】図１に示す遊技機の分解斜視図である。
【図４】本実施の形態の要部である装飾ユニットを示す斜視図である。
【図５】図４に示す装飾ユニットの分解斜視図である。
【図６】図５に示す装飾ユニットの裏面側を示す分解斜視図である。
【図７】本実施の形態のＬＥＤカバーの裏面側を示す斜視図である。
【図８】本実施の形態のユニットベースの裏面側を示す斜視図である。
【図９】裏面側にハーフミラーが蒸着されたスピーカカバーを示す正面図である。
【図１０】図９のスピーカカバーの裏面側を示す背面図である。
【図１１】遊技機に取り付けられた装飾ユニットの左側を示す説明図である。
【図１２】図１１に示す装飾ユニットからスピーカカバーを取り外した状態を示す説明図である。
【図１３】図１２に示す装飾ユニットからＬＥＤ基板カバーを取り外した状態を示す説明図である。
【図１４】図１１示す装飾ユニットにてＬＥＤが発光した状態を示す説明図である。
【図１５】図１に係る装飾ユニットのＡ−Ａ線断面を示す説明図である。
【符号の説明】
【０１０４】
１  パチンコ遊技機（遊技機）
３  遊技機本体
３ａ  本体枠
３ｂ  ベース枠
３ｃ  ヒンジ
３ｄ  突起
３ｅ  突起
４  上皿部
４ａ  上皿
５  下皿部
５ｂ  下皿
６ａ，６ｂ  スピーカ
７  ハンドル
９  ガラス扉
１０  シャッタレバー
４０  液晶表示装置（ＬＣＤ）
６０ａ，６０ｂ  スピーカカバー
６１  通過孔
６２ａ，６２ｂ  係止爪
６３  取付部
６５ａａ，６５ａｂ，６５ｂａ，６５ｂｂ  ハーフミラー
６６  孔
７０  ＬＥＤ基板カバー（発光基板カバー）
７１  通過孔
７２  装飾部材
７２ａ  嵌込孔
７３ａ，７３ｂ  係止部
７４  挿入孔
７５  取付部
７６  貫通孔
８０  ユニットベース
８１  通過孔
８２ｂ，８２ｃ  係止爪
８３  ネジ止孔
８４ａ，８４ｂ，８４ｃ，８４ｄ，８４ｅ  通光孔
８５  挿入孔
８６  仕切り板
８７  孔
９０ａ，９０ｂ，９０ｃ，９０ｄ，９０ｅ  ＬＥＤ基板（発光体基板）
９１  ネジ孔
９２，９２ａ  ＬＥＤ（発光体）
９３  切り欠き
１００  装飾ユニット
１１０  スピーカ装置
２００  矢印
３００  矢印
４００  光
【図１】
2008006026.tif 000003
【図２】
2008006026.tif 000004
【図３】
2008006026.tif 000005
【図４】
2008006026.tif 000006
【図５】
2008006026.tif 000007
【図６】
2008006026.tif 000008
【図７】
2008006026.tif 000009
【図８】
2008006026.tif 000010
【図９】
2008006026.tif 000011
【図１０】
2008006026.tif 000012
【図１１】
2008006026.tif 000013
【図１２】
2008006026.tif 000014
【図１３】
2008006026.tif 000015
【図１４】
2008006026.tif 000016
【図１５】
2008006026.tif 000017